(57)【要約】【課題】ユーザ個人のニーズに応じた学習効果の高い年表を容易に作成する。【解決手段】日本史辞書や世界史辞書等の歴史辞書から検索した任意の見出し語に対応する説明情報表示画面ＧＨにおいて、任意の文字列部分をマーキング（ＭＲ）して選択すると、見出し語に応じて地域分類リストから検索された地域名と前記選択された文字列部分の文字列が、当該文字列部分から抽出された年代情報と対応付けられて年表データベースメモリに登録される。そして、任意の年代と地域を指定してカスタム年表の作成を指示すると、前記年表データベースメモリから指定の地域別に指定の年代に応じて抽出された年代情報と文字列（出来事）が時系列に並べられた年表表示画面が生成されて表示される。【選択図】      図６
2013117820.tif 000002
【特許請求の範囲】
【請求項１】
複数の項目毎に当該項目およびその項目に対応した時間情報を含む文字列のデータを記憶するデータ記憶手段と、
このデータ記憶手段により記憶された複数の項目毎に当該項目を分類する地域を対応付けて記憶する地域分類記憶手段と、
前記データ記憶手段により記憶された文字列を表示する文字列表示手段と、
この文字列表示手段により表示された任意の項目に対応した文字列から、ユーザ操作に応じて時間情報を含む文字列の一部を指定する文字列指定手段と、
この文字列指定手段により指定された時間情報を含む文字列について、当該文字列が属する項目と前記地域分類記憶手段により記憶された当該項目を分類する地域とを対応付けて記憶する指定データ記憶手段と、
この指定データ記憶手段により記憶された項目毎の文字列をその時間情報と対応付けて時系列順に且つ地域別に分割して表示する年表表示手段と、
を備えたことを特徴とする情報表示装置。
【請求項２】
前記データ記憶手段により記憶される文字列のデータは、複数の見出し語毎に当該見出し語およびその見出し語に対応した時間情報を含む説明情報からなる辞書データであって、
前記年表表示手段は、前記指定データ記憶手段により記憶された見出し語毎の説明情報をその時間情報と対応付けて時系列順に且つ地域別に並列に分割して表示する、
ことを特徴とする請求項１に記載の情報表示装置。
【請求項３】
前記年表表示手段により表示された時間情報または説明情報をユーザ操作に応じて選択的に隠して表示する隠し表示手段を備えたことを特徴とする請求項２に記載の情報表示装置。
【請求項４】
ユーザ操作に応じて年代と地域を指定する年代地域指定手段を備え、
前記年表表示手段は、前記年代地域指定手段により指定された年代と地域に応じて、前記指定データ記憶手段により記憶された見出し語毎の説明情報をその時間情報と対応付けて時系列順に且つ地域別に並列に分割して表示する、
ことを特徴とする請求項３に記載の情報表示装置。
【請求項５】
タッチパネル式表示部を備え、
前記文字列表示手段は、前記データ記憶手段により記憶された文字列を前記タッチパネル式表示部に表示させ、
前記文字列指定手段は、前記タッチパネル式表示部に対するタッチ操作に応じて、前記文字列表示手段により当該表示部に表示された文字列に含まれる任意の項目毎に当該項目およびその時間情報を含む文字列の一部を指定する、
ことを特徴とする請求項１ないし請求項４の何れか１項に記載の情報表示装置。
【請求項６】
記憶部および表示部を備えた電子機器のコンピュータを制御するためのプログラムであって、
前記コンピュータを、
複数の項目毎に当該項目およびその項目に対応した時間情報を含む文字列のデータを記憶部に記憶させるデータ記憶手段と、
このデータ記憶手段により記憶された複数の項目毎に当該項目を分類する地域を対応付けて記憶部に記憶させる地域分類記憶手段と、
前記データ記憶手段により記憶された文字列を表示部に表示させる文字列表示手段と、
この文字列表示手段により表示された任意の項目に対応した文字列から、ユーザ操作に応じて時間情報を含む文字列の一部を指定する文字列指定手段と、
この文字列指定手段により指定された時間情報を含む文字列について、当該文字列が属する項目と前記地域分類記憶手段により記憶された当該項目を分類する地域とを対応付けて記憶部に記憶させる指定データ記憶手段と、
この指定データ記憶手段により記憶された項目毎の文字列をその時間情報と対応付けて時系列順に且つ地域別に分割して表示部に表示させる年表表示手段、
として機能させるためのプログラム。
【発明の詳細な説明】
【技術分野】
【０００１】
本発明は、歴史の学習を効果的に行うための情報表示装置及びその制御プログラムに関する。
【背景技術】
【０００２】
従来、例えば学生が歴史を学習するには、教科書等に予め付属された年表を参照し、その中で必要な年代（年数／年号／世紀）と出来事（人名、地名、事件名等含む）を対応付けて記憶するか、あるいは教科書の中から必要な年代と出来事だけを書き抜いた独自の年表を作成し、これを参照して記憶している。
【０００３】
しかしながら、予め付属された年表を参照すると、例えば試験対策としては不要な項目（年代と出来事）が数多く含まれ効率的に学習できない。また、独自の年表を書き抜いて作成するには、時間や手間が掛かるのは勿論、日本史と世界史を別々に書き抜いて覚えたり、書き出した多くの項目から特定の項目を見つけ出して覚えたりするにも、さらに時間と労力を要し、実際として困難さが伴う欠点がある。
【０００４】
近年、電子辞書などの情報表示装置において、表示された電子書籍の特定部分をユーザがなぞることで擬似的にマーキングし、これらマーキングされた部分を特定のメモリ領域に記憶させて管理する手段は提供されているが、年代や地域などにより区別して管理できるものではないため、年表として覚える対象にはし難い欠点がある。
【０００５】
従来の年表自動作成システムであって、データファイル内の文字列から、年号とこれの周辺の文字列の重要度を品詞情報から判断し、自動的に年表を作成するものが考えられている（例えば、特許文献１参照。）。
【０００６】
従来の年表表示システムであって、ユーザ個人の歴史と一般的な歴史的出来事とを関連付けた年表を作成して表示するものが考えられている（例えば、特許文献２参照。）。
【先行技術文献】
【特許文献】
【０００７】
【特許文献１】特開２０１０−２３７８７１号公報
【特許文献２】特開平１１−６６０４９号公報
【発明の概要】
【発明が解決しようとする課題】
【０００８】
前記従来の年表自動作成システムでは、年号とその周辺の重要度の高い文字列とは自動抽出であるため、ユーザが重要と考える年表とはなり得ず、また、複数の地域の歴史を関連付けて作成することはできない。
【０００９】
前記従来の年表表示システムでは、ユーザ個人の歴史はその「名前」「出生年」「出来事」をフィールド別に入力し、この結果を歴史的出来事と並べているだけの年表であるため、例えば試験対策としての学習効果は得られない。
【００１０】
本発明は、このような課題に鑑みなされたもので、ユーザ個人のニーズに応じた学習効果の高い年表を容易に作成することが可能になる情報表示装置及びその制御プログラムを提供することを目的とする。
【課題を解決するための手段】
【００１１】
本発明に係る情報表示装置は、複数の項目毎に当該項目およびその項目に対応した時間情報を含む文字列のデータを記憶するデータ記憶手段と、このデータ記憶手段により記憶された複数の項目毎に当該項目を分類する地域を対応付けて記憶する地域分類記憶手段と、前記データ記憶手段により記憶された文字列を表示する文字列表示手段と、この文字列表示手段により表示された任意の項目に対応した文字列から、ユーザ操作に応じて時間情報を含む文字列の一部を指定する文字列指定手段と、この文字列指定手段により指定された時間情報を含む文字列について、当該文字列が属する項目と前記地域分類記憶手段により記憶された当該項目を分類する地域とを対応付けて記憶する指定データ記憶手段と、この指定データ記憶手段により記憶された項目毎の文字列をその時間情報と対応付けて時系列順に且つ地域別に分割して表示する年表表示手段と、を備えたことを特徴としている。
【００１２】
本発明に係るプログラムは、記憶部および表示部を備えた電子機器のコンピュータを制御するためのプログラムであって、前記コンピュータを、複数の項目毎に当該項目およびその項目に対応した時間情報を含む文字列のデータを記憶部に記憶させるデータ記憶手段と、このデータ記憶手段により記憶された複数の項目毎に当該項目を分類する地域を対応付けて記憶部に記憶させる地域分類記憶手段と、前記データ記憶手段により記憶された文字列を表示部に表示させる文字列表示手段と、この文字列表示手段により表示された任意の項目に対応した文字列から、ユーザ操作に応じて時間情報を含む文字列の一部を指定する文字列指定手段と、この文字列指定手段により指定された時間情報を含む文字列について、当該文字列が属する項目と前記地域分類記憶手段により記憶された当該項目を分類する地域とを対応付けて記憶部に記憶させる指定データ記憶手段と、この指定データ記憶手段により記憶された項目毎の文字列をその時間情報と対応付けて時系列順に且つ地域別に分割して表示部に表示させる年表表示手段、として機能させることを特徴としている。
【発明の効果】
【００１３】
本発明によれば、ユーザ個人のニーズに応じた学習効果の高い年表を容易に作成することが可能になる情報表示装置及びその制御プログラムを提供できる。
【図面の簡単な説明】
【００１４】
【図１】本発明の情報表示装置の実施形態に係る電子辞書装置１０の外観構成を示す正面図。
【図２】前記電子辞書装置１０の電子回路の構成を示すブロック図。
【図３】前記電子辞書装置１０の記憶装置２２に記憶される地域分類リスト２２ｃの内容を示す図。
【図４】前記電子辞書装置１０の年表データベースメモリ２６ｅに記憶される年表データベースの内容を示す図。
【図５】前記電子辞書装置１０による歴史辞書の検索表示に伴う年表データベース作成処理を示すフローチャート。
【図６】前記電子辞書装置１０の年表データベース作成処理に伴う歴史辞書のユーザ操作に応じた表示動作を示す図。
【図７】前記電子辞書装置１０の年表データベース作成処理に伴い年表データベース２６ｅへの登録対象としてマーカＭＲが付加された説明情報表示画面ＧＨの具体例（その１）を示す図。
【図８】前記電子辞書装置１０の年表データベース作成処理に伴い年表データベース２６ｅへの登録対象としてマーカＭＲが付加された説明情報表示画面ＧＨの具体例（その２）を示す図。
【図９】前記電子辞書装置１０の年表データベースメモリ２６ｅに登録された年表データベースに基づくカスタム年表作成処理を示すフローチャート。
【図１０】前記電子辞書装置１０のカスタム年表作成処理に伴う表示動作（その１）を示す図。
【図１１】前記電子辞書装置１０のカスタム年表作成処理に伴う表示動作（その２）を示す図。
【図１２】前記電子辞書装置１０のカスタム年表作成処理に伴う表示動作（その３）を示す図。
【発明を実施するための形態】
【００１５】
以下図面により本発明の実施の形態について説明する。
【００１６】
図１は、本発明の情報表示装置の実施形態に係る電子辞書装置１０の外観構成を示す正面図である。
【００１７】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１８】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る］キー１４ｄ、カーソルキー１４ｅなどを備えたキー入力部１４、およびタッチパネル式サブ表示部１５が備えられる。
【００１９】
このタッチパネル式サブ表示部１５は、ユーザがペンや指等でタッチした位置を検出するタッチ位置検出装置と表示装置が一体となった構造であり、キー入力部１４の中央手前側において例えば２５６×６４ドットのバックライト付きカラー液晶表示画面１５ｄに透明タッチパネル１５ｔを重ねて構成される。このサブ表示部１５は、必要に応じて、手書き文字を入力するための手書き文字入力領域や各種機能のキー入力領域、あるいは当該各入力領域が混在する領域に切り替えられる。
【００２０】
そして、前記サブ表示部１５が手書き文字入力領域に切り替えられた状態での手書き入力に伴う軌跡はそのバックライト付きカラー液晶表示画面１５ｄにエコーバックして表示される。
【００２１】
また蓋体ケース１２の表面には、そのほぼ全面を対象に例えば４８０×３２０ドットのバックライト付きのタッチパネル式メイン表示部１６が設けられる。このタッチパネル式メイン表示部１６も、前記サブ表示部１５と同様に、ユーザがペンや指等でタッチした位置を検出するタッチ位置検出装置と表示装置が一体となった構造であり、そのバックライト付きカラー液晶表示画面１６ｄに透明タッチパネル１６ｔを重ねて構成される。
【００２２】
そして、前記タッチパネル式メイン表示部１６の左端には、表示内容に応じて実行可能な機能をタッチ操作により指定するための、各種のアイコンが表示されるタッチアイコンエリア１６Ａが設けられる。
【００２３】
この電子辞書装置１０は、前記辞書指定キー１４ｂにより指定された日本史辞書（２２ｂ４）や世界史辞書（２２ｂ５）の内容を対象に、ユーザ操作に応じて指定された見出し語とその説明情報部分に基づき、該当する年代（年数／年号／世紀）と出来事（人物、地名、事件名等含む）と当該出来事の発生地域とを抽出して対応付けた年表データベース（２６ｅ：図４参照）を作成する機能、この作成された年表データベース（２６ｅ）から、カスタム年表作成画面Ｇ（年代指定エリアＥ／地域指定エリアＲ）にてユーザ任意の年代と地域を指定して該当する年代の地域別のカスタム年表（ＧＮ：図１１（Ｄ）参照）を作成する機能を有する。
【００２４】
図２は、前記電子辞書装置１０の電子回路の構成を示すブロック図である。
【００２５】
この電子辞書装置１０は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２６】
ＣＰＵ２１は、記憶装置２２内に予め記憶された装置制御プログラム２２ａ、あるいはＲＯＭカードなどの外部記録媒体２３から記録媒体読み取り部２４を介して前記記憶装置２２に読み込まれた装置制御プログラム２２ａ、あるいはインターネットＮ上のＷｅｂサーバ（この場合はプログラムサーバ）３０から通信部２５を介して前記記憶装置２２に読み込まれた装置制御プログラム２２ａに応じて、ＲＡＭ２６を作業用メモリとして回路各部の動作を制御する。
【００２７】
前記記憶装置２２に記憶された装置制御プログラム２２ａは、キー入力部１４、タッチパネル式サブ表示部１５、タッチパネル式メイン表示部１６からのユーザ操作に応じた入力信号、あるいは通信部２５を介して接続されるインターネットＮ上の各Ｗｅｂサーバ３０…との通信信号に応じて起動される。
【００２８】
このように、前記ＣＰＵ２１には、前記記憶装置２２、記録媒体読み取り部２４、通信部２５、ＲＡＭ２６、キー入力部１４、タッチパネル式サブ表示部１５、タッチパネル式メイン表示部１６が接続される。
【００２９】
記憶装置２２には、装置制御プログラム２２ａとして、当該電子辞書装置１０の全体の動作を司るシステムプログラム、通信部２５を介してインターネットＮ上の各Ｗｅｂサーバ３０…や図示しないユーザＰＣ(Personal Computer)などとデータ通信するための通信プログラム等が記憶される。また、前記装置制御プログラム２２ａとして、検索語入力処理、検索語に対応した見出し語検索処理、検索見出し語の一覧表示処理、カーソルにより指定された見出し語に対応する訳語・意味内容などの各種説明情報の読み出し表示処理、表示された歴史辞書の説明情報の中にてユーザ指定された見出し語を含む任意の文字列範囲から該当する年代と出来事とその発生地域とを対応付けた年表データベースを作成する年表データベース作成処理、作成された年表データベースからユーザ指定の年代と地域に応じたカスタム年表を作成するカスタム年表作成処理など、同記憶装置２２内に記憶された辞書データベース２２ｂに基づく検索・表示・編集処理全般を制御するための情報処理プログラムが記憶される。
【００３０】
辞書データベース２２ｂには、例えば日本語の見出し語に対応付けて日本語の説明情報が記述された［国語辞書］２２ｂ１、英語の見出し語に対応付けて日本語の説明情報が記述された［英和辞書］２２ｂ２、日本語の見出し語に対応付けて英語の説明情報が記述された［和英辞書］２２ｂ３、日本の歴史について人名，地名，事件名等の各種名称の見出し語に対応付けてその内容の説明情報が記述された［日本史辞書］２２ｂ４、世界の歴史について人名，地名，事件名等の各種名称の見出し語に対応付けてその内容の説明情報が記述された［世界史辞書］２２ｂ５をはじめ、複数種類の辞書データが予め記憶されるかあるいはダウンロードされて記憶される。
【００３１】
図３は、前記電子辞書装置１０の記憶装置２２に記憶される地域分類リスト２２ｃの内容を示す図である。
【００３２】
この地域分類リストには２２ｃには、前記辞書データベース２２ｂに記憶される日本史辞書２２ｂ４および世界史辞書２２ｂ５に集録された各見出し語（見出し項目）に対応付けて当該項目の発生した地域名が記述される。
【００３３】
前記ＲＡＭ２６には、メイン画面データメモリ２６ａ、サブ画面データメモリ２６ｂ、検索語データメモリ２６ｃ、見出し語一覧データメモリ２６ｄ、年表データベースメモリ２６ｅなどが確保される。
【００３４】
メイン画面データメモリ２６ａには、前記タッチパネル式メイン表示部１６に表示させる表示データがビットマップパターンに展開されて記憶される。
【００３５】
サブ画面データメモリ２６ｂには、前記タッチパネル式サブ表示部１５に表示させる表示データがビットマップパターンに展開されて記憶される。
【００３６】
検索語データメモリ２６ｃには、辞書検索画面の検索語入力エリアに検索対象として順次ユーザ入力される文字データが記憶される。
【００３７】
見出し語一覧データメモリ２６ｄには、前記検索語データメモリ２６ｃに記憶された検索語の文字（列）データと前方一致する見出し語が辞書データベース２２ｂから検索され一覧にして記憶される。
【００３８】
図４は、前記電子辞書装置１０の年表データベースメモリ２６ｅに記憶される年表データベースの内容を示す図である。
【００３９】
この年表データベース（２６ｅ）としては、前記日本史辞書２２ｂ４や世界史辞書２２ｂ５の説明情報表示画面ＧＨ（図６参照）において、その見出し語を含む説明情報の中の任意の文字列部分（文字列の範囲）がマーカＭＲにより指定された場合に、その指定された文字列部分から抽出される年代（開始年／終了年）と当該文字列とが、前記地域分類リスト２２ｃから検索された地域名、該当する辞書ＩＤ（書籍ＩＤ）、見出しＩＤ、シリアルな登録ＩＤに対応付けられて記憶される。
【００４０】
このように構成された電子辞書装置１０は、ＣＰＵ２１が前記装置制御プログラム２２ａ（辞書機能における検索語入力処理、検索語に対応した見出し語検索処理、検索見出し語の一覧表示処理、カーソルにより指定された見出し語に対応する各種説明情報の読み出し表示処理、年表データベース作成処理、カスタム年表作成処理等を実行するためのプログラムを含む）に記述された命令に従い回路各部の動作を制御し、ソフトウエアとハードウエアとが協働して動作することにより、以下の動作説明で述べる機能を実現する。
【００４１】
次に、前記構成による電子辞書装置１０の動作について説明する。
【００４２】
図５は、前記電子辞書装置１０による歴史辞書の検索表示に伴う年表データベース作成処理を示すフローチャートである。
【００４３】
図６は、前記電子辞書装置１０の年表データベース作成処理に伴う歴史辞書のユーザ操作に応じた表示動作を示す図である。
【００４４】
辞書指定キー１４ｂにより世界史辞書２２ｂ５が指定され、例えば、ユーザが検索文字として「ずい」を入力すると、見出し語検索処理を経て、図６（Ａ）に示すように、当該世界史辞書２２ｂ５から見出し語「ずい［隋］」に対応した説明情報が読み出され、説明情報表示画面ＧＨとしてメイン表示部１６に表示される。この際、当該メイン表示部１６左端のタッチアイコンエリア１６Ａには、マーカアイコンＢＭが表示される（ステップＳ１）。
【００４５】
この説明情報表示画面ＧＨにおいて、マーカアイコンＢＭがペンタッチＰにより指定され、マーカ付加機能が起動されると（ステップＳ２（Ｙｅｓ））、年表データベース登録モードに設定されると共に、図６（Ｂ）に示すように、タッチアイコンエリア１６Ａには、年表データベース（２６ｅ）への登録を指示するための登録アイコンＢＲ、マーカの色を指定するためのカラーアイコンＢＣが表示される（ステップＳ３）。
【００４６】
ここで、例えばカラーアイコンＢＣがペンタッチＰされてマーカの色が赤色に指定され、図６（Ｂ）（Ｃ）に示すように、説明情報表示画面ＧＨに表示された説明情報から文字列部分「［隋］」、「５８１〜６１８」、「楊堅（ようけん）…統一王朝」がペンタッチＰによりなぞられて選択されると（ステップＳ４（Ｙｅｓ））、当該選択された各文字列部分（文字列の範囲）に赤色のマーカＭＲが付加されて表示される（ステップＳ５）。
【００４７】
こうして、説明情報表示画面ＧＨにおいて、ユーザが注目する任意の文字列部分にマーカＭＲを付加して表示させた状態で、図６（Ｄ）に示すように、登録アイコンＢＲがペンタッチＰされると（ステップＳ６（Ｙｅｓ））、マーカＭＲにより選択された文字列部分に数字の範囲を示す文字列“数字〜数字”が含まれるか否か判断される（ステップＳ７）。
【００４８】
ここで、数字の範囲を示す文字列“５８１〜６１８”が含まれると判断されると（ステップＳ７（Ｙｅｓ））、当該数字範囲の文字列が抽出され、年表データベースメモリ２６ｅ（図４参照）のシリアルの登録ＩＤ“０”に対応付けられた［開始年］と［終了年］として記憶される（ステップＳ８）。
【００４９】
また、地域分類リスト２２ｃ（図３参照）から、表示中の見出し語の項目「［隋］」に対応する地域名「中国」が検索され、前記年表データベースメモリ２６ｅの同一の登録ＩＤ“０”に対応付けられた［地域］として記憶される（ステップＳ９）。
【００５０】
すると、前記マーカＭＲにより選択された全ての文字列部分「［隋］」「５８１〜６１８」「楊堅（ようけん）…統一王朝」が、前記年表データベースメモリ２６ｅの同一の登録ＩＤ“０”に対応付けられた一連の［マーキング文字列］として記憶され、さらに、この説明情報のデータ位置を示す書籍ＩＤ“０１（世界史）”、見出し項目“隋”、見出しＩＤ“ＩＤ００２１”が記憶される（ステップＳ１０）。
【００５１】
なお、前記ステップＳ７において、マーカＭＲにより選択された文字列部分に数字の範囲を示す文字列“数字〜数字”が含まれてないと判断された場合は（ステップＳ７（Ｎｏ））、年代を示す文字列“Ｘ年”または“Ｘ世紀”が含まれているか判断し（ステップステップＳ１１）、含まれていると判断された場合は（ステップＳ１１（Ｙｅｓ））、当該“Ｘ年”の“Ｘ”に相当する数字の文字列、または“Ｘ世紀”の“Ｘ”に相当する数字と“世紀”の文字列が抽出され、年表データベースメモリ２６ｅ（図４参照）の該当する登録ＩＤに対応付けられた［開始年］として記憶される（ステップＳ１２）。また、説明情報表示画面ＧＨにおいて見出し語自体がマーカ選択されなかった場合でも、年表データベースメモリ２６ｅには、見出し項目、見出しＩＤは記憶されることになる。
【００５２】
図７は、前記電子辞書装置１０の年表データベース作成処理に伴い年表データベース２６ｅへの登録対象としてマーカＭＲが付加された説明情報表示画面ＧＨの具体例（その１）を示す図である。
【００５３】
図８は、前記電子辞書装置１０の年表データベース作成処理に伴い年表データベース２６ｅへの登録対象としてマーカＭＲが付加された説明情報表示画面ＧＨの具体例（その２）を示す図である。
【００５４】
すなわち、前記図６で示したように、世界史辞書２２ｂ５の見出し語「ずい［隋］」に対応した説明情報表示画面ＧＨでのマーカＭＲにより選択された文字列が抽出され、年表データベースメモリ２６ｅの登録ＩＤ“０”に対応付けられて記憶された後、図７（Ａ）〜図８（Ｅ）に示すように、世界史辞書２２ｂ５の見出し語「とう［唐］」、日本史辞書２２ｂ４の見出し語「けんずいし［遣隋使］」「けんとうし［遣唐使］」、世界史辞書２２ｂ５の見出し語「しんら［新羅］」「こうくり［高句麗］」の各説明情報表示画面ＧＨにおいて、前記同様にマーカＭＲを付加し登録アイコンＢＲがペンタッチＰされると、その都度、前記年表データベース作成処理（ステップＳ１〜Ｓ１２）に従い、マーカＭＲにより選択された文字列が抽出され、年表データベースメモリ２６ｅ（図４参照）の次の登録ＩＤ“１”〜“５”に対応付けられて記憶される。
【００５５】
なお、前記マーカＭＲにより選択された文字列部分から抽出される年代の情報に相当する数字部分が、図７（Ｂ）の「けんずいし［遣隋使］」の説明情報表示画面ＧＨで示したように、範囲のない数字部分“６０７”である場合には、年表データベースメモリ２６ｅへは［開始年］として記憶される。また、図８（Ｄ）の「しんら［新羅］」や図８（Ｅ）の「こうくり［高句麗］」の各説明情報表示画面ＧＨで示したように、マーカＭＲにより選択された文字列部分から抽出される年代の情報に相当する数字部分が、不明を含む数字範囲“？〜９３５”や“？〜６６８”である場合には、年表データベースメモリ２６ｅへはその［終了年］のみ記憶される。
【００５６】
このように、歴史辞書のユーザ任意の見出し語に対応する各説明情報表示画面ＧＨにおいて、ユーザ任意の文字列部分をマーカＭＲにより選択することで、順次その年代と出来事からなる内容を年表データベースメモリ２６ｅに登録ＩＤ，辞書ＩＤ，見出しＩＤ，地域名に対応付けて登録することができる。
【００５７】
図９は、前記電子辞書装置１０の年表データベースメモリ２６ｅに登録された年表データベースに基づくカスタム年表作成処理を示すフローチャートである。
【００５８】
図１０は、前記電子辞書装置１０のカスタム年表作成処理に伴う表示動作（その１）を示す図である。
【００５９】
図１１は、前記電子辞書装置１０のカスタム年表作成処理に伴う表示動作（その２）を示す図である。
【００６０】
図１２は、前記電子辞書装置１０のカスタム年表作成処理に伴う表示動作（その３）を示す図である。
【００６１】
辞書指定キー「メニュー」１４ｂが操作され、図１０（Ａ）に示すように、メイン表示部１６にメニュー画面ＧＭが表示され、「カスタム年表」の項が選択されると、図９におけるカスタム年表作成処理が起動され、図１０（Ｂ）に示すように、年代指定エリアＥと地域指定エリアＲを有するカスタム年表作成指定画面Ｇがメイン表示部１６に表示される。
【００６２】
このカスタム年表作成指定画面Ｇにおいて、図１０（Ｃ）に示すように、ユーザが年表を作成したい年代が“６世紀”、地域が“日本”“中国”“朝鮮”として指定されると（ステップＴ１）、指定された地域の数（ここでは３地域）に応じて作成すべき年表の分割数（３分割）が決定される（ステップＴ２）。
【００６３】
すると、前記年表データベースメモリ２６ｅに登録された年表データベース（図４参照）から、前記年表作成条件として指定された地域別“日本”“中国”“朝鮮”に、同指定された年代“６世紀”に対応した［開始年］［終了年］とマーキング文字列のデータが抽出され（ステップＴ３）、図１１（Ｄ）に示すように、当該［開始年］［終了年］である年代とマーキング文字列である出来事とを対応付けて時系列に並べた年表データが生成され、年表表示画面ＧＮとしてメイン表示部１６に表示される（ステップＴ４）。
【００６４】
これにより、各種の歴史辞書２２ｂ４，２２ｂ５に基づいて、ユーザ個人のニーズに応じた内容且つ地域別の年表を容易に作成して表示させることができる。
【００６５】
そして、この指定地域別に対比して年代とその出来事とを対応付けて表記した年表表示画面ＧＮについて、初期表示モードである表示フラグＦ＝０が設定される（ステップＴ５）。
【００６６】
この後、前記年表表示画面ＧＮに表記された内容を覚えるために、例えばカーソルキー１４ｅのユーザ操作により表示モードの切り換えが指示されると（ステップＴ６（Ｙｅｓ））、前記表示フラグＦが“＋１”されてＦ＝１にセットされ（ステップＴ７，Ｔ８（Ｙｅｓ））、図１１（Ｅ）に示すように年代表示がマスクされ、出来事表示に対応する年代の回答をユーザに促すための年表表示画面（年代マスク）ＧＮ１が表示される（ステップＴ９）。
【００６７】
またこの後、ユーザ操作に応じてもう一度、表示モードの切り換えが指示されると（ステップＴ６（Ｙｅｓ））、前記表示フラグＦがさらに“＋１”されてＦ＝２にセットされ（ステップＴ７，Ｔ１０（Ｙｅｓ））、図１２（Ｆ）に示すように出来事表示がマスクされ、年代表示に対応する出来事の回答をユーザに促すための年表表示画面（出来事マスク）ＧＮ２が表示される（ステップＴ１１）。
【００６８】
さらにこの後、ユーザ操作に応じてもう一度、表示モードの切り換えが指示されると（ステップＴ６（Ｙｅｓ））、前記表示フラグＦがさらに“＋１”されてＦ＝３にセットされ（ステップＴ７，Ｔ１２（Ｙｅｓ））、図１２（Ｇ）に示すように、任意の１つの地域（ここでは“日本史”）の出来事表示がマスクされ、該当地域の年代表示に対応する出来事の回答をユーザに促すための年表表示画面（地域毎出来事マスク）ＧＮ３が表示される（ステップＴ１３）。
【００６９】
そしてまた、ユーザ操作に応じてもう一度、表示モードの切り換えが指示されると（ステップＴ６（Ｙｅｓ））、前記表示フラグＦがさらに“＋１”されてＦ＝４（＞３）にセットされ（ステップＴ７，Ｔ１４（Ｙｅｓ））、前記出来事表示のマスクが解除されて表示フラグＦが“０”にリセットされる（ステップＴ１５）。
【００７０】
すると、前記図１１（Ｄ）で示したように、表示フラグＦ＝０に対応付けられた初期表示モードでの年表表示画面ＧＮの表示状態に戻る。
【００７１】
このように、表示モードの切り換え指示をする毎に、初期表示モードでの年表表示画面ＧＮから、年表表示画面（年代マスク）ＧＮ１→年表表示画面（出来事マスク）ＧＮ２→年表表示画面（地域毎出来事マスク）ＧＮ３→初期表示モードでの年表表示画面ＧＮへと自在に遷移させることができる。
【００７２】
そして、前記各表示モードでの年表表示画面ＧＮ／ＧＮ１／ＧＮ２／ＧＮ３において、当該画面内の何れかの項目がタッチされると（ステップＴ１６（Ｙｅｓ））、当該タッチされたところの項目に対応付けられて前記年表データベース（２６ｅ）に登録されている書籍ＩＤと見出しＩＤに従い、その見出し語および説明情報が辞書データベース２２ｂから読み出され、例えば前記図６（Ａ）で示したような説明情報表示画面ＧＨに切り換えられて表示される（ステップＴ１７）。
【００７３】
この説明情報表示画面ＧＨに切り換えられた状態で［戻る］キー１４ｄが押下されると（ステップＴ１８（Ｙｅｓ））、当該説明情報表示画面ＧＨに切り換えられる直前の表示モードでの年表表示画面ＧＮ／ＧＮ１／ＧＮ２／ＧＮ３の表示状態に戻る。
【００７４】
したがって、前記構成の電子辞書装置１０による年表データベース作成機能およびカスタム年表作成機能によれば、日本史辞書２２ｂ４や世界史辞書２２ｂ５等の歴史辞書から検索した任意の見出し語に対応する説明情報表示画面ＧＨにおいて、任意の文字列部分をマーキング（ＭＲ）して選択すると、見出し語に応じて地域分類リスト２２ｃから検索された地域名と前記選択された文字列部分の文字列が、当該文字列部分から抽出された年代と対応付けられて年表データベースメモリ２６ｅに登録される。そして、任意の年代と地域を指定してカスタム年表の作成を指示すると、前記年表データベースメモリ２６ｅから指定の地域別に指定の年代に応じて抽出された年代と文字列（出来事）が時系列に並べられた年表表示画面ＧＮが生成されて表示される。
【００７５】
このため、ユーザは年代・地域・歴史的出来事などを分けて入力する必要なく、「重要」と思われる文字列部分をマーカＭＲにより選択して登録するだけで、当該ユーザの学習に必要な年表を簡単に作成することができる。
【００７６】
さらに、この年表表示画面ＧＮにおいて、表示モードの切り換えが指示されると、その都度、当該年表表示画面ＧＮの年代の表示エリアがマスクされた年表表示画面（年代マスク）ＧＮ１に切り換えられたり、文字列（出来事）の表示エリアがマスクされた年表表示画面（出来事マスク）ＧＮ２に切り換えられたり、任意の１つの地域の文字列（出来事）の表示エリアがマスクされた年表表示画面（地域毎出来事マスク）ＧＮ３に切り換えられて表示される。
【００７７】
これにより、ユーザ個人のニーズに応じた内容且つ地域別の年表を容易に作成して表示できるだけでなく、例えば各出来事から各対応する年代を答えたり、逆に各年代から各対応する出来事を答えたり、さらには近隣地域（国）間での歴史の関係を覚えるなど、試験対策としてより効果的に学習することが可能になる。
【００７８】
なお、前記実施形態において記載した電子辞書装置１０による各処理の手法およびデータベース、すなわち、図５のフローチャートに示す歴史辞書の検索表示に伴う年表データベース作成処理、図９のフローチャートに示す年表データベースに基づくカスタム年表作成処理などの各手法および［日本史辞書２２ｂ４］［世界史辞書２２ｂ５］［地域分類リスト２２ｃ］等を含むデータベースは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、タッチパネル式表示部１６を備えた電子機器のコンピュータは、この外部記録媒体２３に記録されたプログラムを記憶装置２２に読み込み、この読み込んだプログラムによって動作が制御されることにより、前記実施形態において説明した年表データベース作成機能およびカスタム年表作成機能を実現し、前述した手法による同様の処理を実行することができる。
【００７９】
また、前記各手法を実現するためのプログラムのデータは、プログラムコードの形態としてネットワークＮ上を伝送させることができ、このプログラムデータを、ネットワークＮに接続されたタッチパネル式表示部１６を備えた電子機器のコンピュータに通信部２５によって取り込むことで、前述した年表データベース作成機能およびカスタム年表作成機能を実現することもできる。
【００８０】
なお、本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８１】
以下に、本願出願の当初の特許請求の範囲に記載された発明を付記する。
【００８２】
［１］
複数の項目毎に当該項目およびその項目に対応した時間情報を含む文字列のデータを記憶するデータ記憶手段と、
このデータ記憶手段により記憶された複数の項目毎に当該項目を分類する地域を対応付けて記憶する地域分類記憶手段と、
前記データ記憶手段により記憶された文字列を表示する文字列表示手段と、
この文字列表示手段により表示された任意の項目に対応した文字列から、ユーザ操作に応じて時間情報を含む文字列の一部を指定する文字列指定手段と、
この文字列指定手段により指定された時間情報を含む文字列について、当該文字列が属する項目と前記地域分類記憶手段により記憶された当該項目を分類する地域とを対応付けて記憶する指定データ記憶手段と、
この指定データ記憶手段により記憶された項目毎の文字列をその時間情報と対応付けて時系列順に且つ地域別に分割して表示する年表表示手段と、
を備えたことを特徴とする情報表示装置。
【００８３】
［２］
前記データ記憶手段により記憶される文字列のデータは、複数の見出し語毎に当該見出し語およびその見出し語に対応した時間情報を含む説明情報からなる辞書データであって、
前記年表表示手段は、前記指定データ記憶手段により記憶された見出し語毎の説明情報をその時間情報と対応付けて時系列順に且つ地域別に並列に分割して表示する、
ことを特徴とする［１］に記載の情報表示装置。
【００８４】
［３］
前記年表表示手段により表示された時間情報または説明情報をユーザ操作に応じて選択的に隠して表示する隠し表示手段を備えたことを特徴とする［２］に記載の情報表示装置。
【００８５】
［４］
ユーザ操作に応じて年代と地域を指定する年代地域指定手段を備え、
前記年表表示手段は、前記年代地域指定手段により指定された年代と地域に応じて、前記指定データ記憶手段により記憶された見出し語毎の説明情報をその時間情報と対応付けて時系列順に且つ地域別に並列に分割して表示する、
ことを特徴とする［３］に記載の情報表示装置。
【００８６】
［５］
タッチパネル式表示部を備え、
前記文字列表示手段は、前記データ記憶手段により記憶された文字列を前記タッチパネル式表示部に表示させ、
前記文字列指定手段は、前記タッチパネル式表示部に対するタッチ操作に応じて、前記文字列表示手段により当該表示部に表示された文字列に含まれる任意の項目毎に当該項目およびその時間情報を含む文字列の一部を指定する、
ことを特徴とする［１］ないし［４］の何れかに記載の情報表示装置。
【００８７】
［６］
記憶部および表示部を備えた電子機器のコンピュータを制御するためのプログラムであって、
前記コンピュータを、
複数の項目毎に当該項目およびその項目に対応した時間情報を含む文字列のデータを記憶部に記憶させるデータ記憶手段と、
このデータ記憶手段により記憶された複数の項目毎に当該項目を分類する地域を対応付けて記憶部に記憶させる地域分類記憶手段と、
前記データ記憶手段により記憶された文字列を表示部に表示させる文字列表示手段と、
この文字列表示手段により表示された任意の項目に対応した文字列から、ユーザ操作に応じて時間情報を含む文字列の一部を指定する文字列指定手段と、
この文字列指定手段により指定された時間情報を含む文字列について、当該文字列が属する項目と前記地域分類記憶手段により記憶された当該項目を分類する地域とを対応付けて記憶部に記憶させる指定データ記憶手段と、
この指定データ記憶手段により記憶された項目毎の文字列をその時間情報と対応付けて時系列順に且つ地域別に分割して表示部に表示させる年表表示手段、
として機能させるためのプログラム。
【符号の説明】
【００８８】
１０  …電子辞書装置
１１  …本体ケース
１２  …蓋体ケース
１３  …ヒンジ部
１４  …キー入力部
１４ａ…文字入力キー
１４ｂ…辞書指定キー
１４ｃ…［訳／決定］キー
１４ｄ…［戻る］キー
１４ｅ…カーソルキー
１５  …タッチパネル式サブ表示部
１５ｄ…カラー液晶表示部（バックライト付き）
１５ｔ…透明タッチパネル
１６  …タッチパネル式メイン表示部
１６ｄ…カラー液晶表示部（バックライト付き）
１６ｔ…透明タッチパネル
１６Ａ…タッチアイコンエリア
２１  …ＣＰＵ
２２  …記憶装置
２２ａ…装置制御プログラム
２２ｂ…辞書データベース
２２ｂ４…［日本史辞書］
２２ｂ５…［世界史辞書］
２２ｃ…地域分類リスト
２３  …外部記録媒体
２４  …記録媒体読み取り部
２５  …通信部
２６  …ＲＡＭ
２６ａ…メイン画面データメモリ
２６ｅ…年表データベースメモリ
３０  …Ｗｅｂサーバ
Ｎ    …通信ネットワーク
ＧＨ  …説明情報表示画面
Ｇ    …カスタム年表作成画面
Ｅ    …年代指定エリア
Ｒ    …地域指定エリア
ＢＭ  …マーカアイコン
ＢＣ  …カラーアイコン
ＭＲ  …マーカ（赤）
ＢＲ  …登録アイコン
Ｐ    …ペンタッチ
【図１】
2013117820.tif 000003
【図２】
2013117820.tif 000004
【図３】
2013117820.tif 000005
【図４】
2013117820.tif 000006
【図５】
2013117820.tif 000007
【図６】
2013117820.tif 000008
【図７】
2013117820.tif 000009
【図８】
2013117820.tif 000010
【図９】
2013117820.tif 000011
【図１０】
2013117820.tif 000012
【図１１】
2013117820.tif 000013
【図１２】
2013117820.tif 000014